(57)【特許請求の範囲】
【請求項１】
投入された遊技媒体を計数するための遊技媒体計数手段を備えた特定島および、前記遊技媒体計数手段が備えられていない一般島から島グループが構成されて、前記特定島の上部タンクから遊技媒体送出手段を介して前記一般島の上部タンクへ遊技媒体を搬送可能であって、該搬送された遊技球を貯留する一般島下部タンクと、を有する遊技島装置において、
前記一般島下部タンクは、前記遊技媒体送出手段に接続された送出遊技媒体誘導管と、該送出遊技媒体誘導管に接続された遊技媒体誘導手段を介して送出されてきた遊技媒体を貯留し、
前記遊技媒体誘導手段は、前記一般島下部タンクが上方に配され、短形状断面形状筒体により形成され、該遊技媒体誘導手段の筒上面に導入口を開設して成り、
前記一般島上部タンクから溢れた遊技球は、一般島オーバーフロー管を介して該下端部に設けられた一般島オーバーフロー分岐手段によって回収樋または前記筒上面に導かれ、
前記筒上面に導かれた遊技球は、前記導入口を通って前記遊技媒体誘導手段の筒内へ導く一方、前記導入口を通らないで前記一般島下部タンクへ導くことを特徴とする遊技島装置。
【請求項２】
前記導入口を挟んだ両側の筒上面は、山形断面形状に形成され、該山形断面上の頂部を境に筒上面の両側縁の下方へ傾斜し、また、前記導入口側の下方へ傾斜した遊技媒体分散手段で構成されていることを特徴とする請求項１記載の遊技島装置。
【発明の詳細な説明】
【０００１】
【発明の属する技術分野】
本発明は、特定島および、一般島から島グループが構成されており、前記特定島から前記一般島へ遊技媒体を搬送可能な遊技島装置に関する。
【０００２】
【従来の技術】
従来の遊技島装置としては、例えば、特開平６−３９１３２号公報に開示されているものがある。
【０００３】
すなわち、特定島および、一般島から島グループを形成し、島グループ内の特定島と一般島との間で遊技媒体を送受し、特定島および一般島には、各島のタンクの遊技媒体数を検出する遊技媒体検出手段が設けられ、特定島に遊技媒体計数手段が設けられ、前記遊技媒体検出手段は遊技媒体数が所定量を超えたことを検出すると、特定島に設けられた遊技媒体計数手段が一時的に稼動停止状態になり、所定量以下になると、遊技媒体計数手段は稼動停止状態が解除される。一般島のタンクの遊技媒体が不足すると、特定島の揚送装置が特定島のタンク内の遊技媒体を揚送し、揚送した遊技媒体を一般島に送出する。
【０００４】
【発明が解決しようとする課題】
しかしながら、このような従来の技術では、島グループ内の全ての島（特定島および一般島）に遊技媒体検出手段がそれぞれ設けられているため、高価になるとともに、遊技媒体の送出の制御は、各遊技媒体検出手段から送られてくる、遊技媒体過剰検出信号や遊技媒体不足検出信号をそれぞれ適正に処理することによって実現されるので、遊技媒体検出手段や制御手段の構成が複雑になり、コストが嵩むという問題点があった。
【０００５】
また、一般島には遊技媒体計数手段が設けられていないため、一般島内の遊技媒体が不足した場合に、前記特定島内の遊技媒体を特定島の揚送装置で揚送し、この揚送した遊技媒体を一般島に送出する必要があり、一般島への遊技媒体の補給が遅れる場合が生じるという問題点があった。
【０００６】
本発明は、このような従来の問題点に着目してなされたもので、安価であり、制御が簡単であり、かつ、一般島への遊技媒体の補給の遅れを防止することができる遊技島装置を提供することを目的としている。
【０００７】
【課題を解決するための手段】
かかる目的を達成するための本発明の要旨とするところは、次の各項の発明に存する。
［１］投入された遊技媒体を計数するための遊技媒体計数手段（１５０）を備えた特定島（１０）および、前記遊技媒体計数手段（１５０）が備えられていない一般島（２０）から島グループが構成されて、前記特定島（１０）の上部タンク（１３０）から遊技媒体送出手段（１１０）を介して前記一般島（２０）の上部タンク（２３０）へ遊技媒体を搬送可能であって、該搬送された遊技球を貯留する一般島下部タンク（２４０）と、を有する遊技島装置において、
前記一般島下部タンク（２４０）は、前記遊技媒体送出手段（１１０）に接続された送出遊技媒体誘導管（２７０）と、該送出遊技媒体誘導管（２７０）に接続された遊技媒体誘導手段（２５０）を介して送出されてきた遊技媒体を貯留し、
前記遊技媒体誘導手段（２５０）は、前記一般島下部タンク（２４０）が上方に配され、短形状断面形状の筒体により形成され、該遊技媒体誘導手段（２５０）の筒上面（２５１）に導入口（２５２）を開設して成り、
前記一般島上部タンク（２３０）から溢れた遊技球は、一般島オーバーフロー管（２８０）を介して該下端部に設けられた一般島オーバーフロー分岐手段（２８５）によって回収樋または前記筒上面（２５１）に導かれ、
前記筒上面（２５１）に導かれた遊技球は、前記導入口（２５２）を通って前記遊技媒体誘導手段（２５０）の筒内へ導く一方、前記導入口（２５２）を通らないで前記一般島下部タンクへ（２４０）導くことを特徴とする遊技島装置。
【０００８】
［２］前記導入口（２５２）を挟んだ両側の筒上面（２５１）は、山形断面形状に形成され、該山形断面上の頂部を境に筒上面（２５１）の両側縁の下方へ傾斜し、また、前記導入口側の下方へ傾斜した遊技媒体分散手段で構成されていることを特徴とする［１］に記載の遊技島装置。
【００１７】
次に、前項に記載された発明の作用について説明する。
本発明の構成では、一般島（２０）内で必要量の遊技媒体を適正に循環することができる。必要量の遊技媒体とは、一般島（２０）を構成する各遊技機へ供給すべき遊技媒体であり、また、遊技機から排出され一般島下部タンク（２４０）に取り込むべき遊技媒体である。
【００１８】
一般島上部タンク（２３０）から溢れ出て遊技媒体誘導手段（２５０）の筒上面（２５１）に落下した遊技媒体は、導入口（２５２）を通って遊技媒体誘導手段（２５０）の筒内へ落下するものと、導入口（２５２）を通らないで一般島下部タンク（２４０）へ落下するものとがある。
【００１９】
このような構成の遊技媒体誘導手段（２５０）では、遊技媒体誘導手段（２５０）の筒内に遊技媒体が詰まって、導入口（２５２）をも塞いでいるような場合であっても、一般島上部タンク（２３０）から溢れ出て遊技媒体誘導手段（２５０）の筒上面（２５１）に落下した遊技媒体は、優先されて、一般島下部タンク（２４０）に取り込まれ、一般島上部タンク（２３０）から溢れ出た遊技媒体を支障なく取り込むことができ、かつ、一般島下部タンク（２４０）に取り込まれた遊技媒体を、再び各遊技機へ供給することができ、必要量の遊技媒体を一般島（２０）内で循環させることができる。
【００２９】
【発明の実施の形態】
以下、図面に基づき本発明の各種実施の形態を説明する。
図１〜図１３は本発明の第１実施の形態を示している。
図１〜図３に示すように、遊技場は、例えば４つの島グループから構成されている。各島グループは、１つの特定島１０および、複数の一般島２０とから構成されている。特定島１０を中心に両側に一般島２０がそれぞれ配されている。
【００３０】
親島である特定島１０と、他島である一般島２０との間に遊技媒体送出手段１１０が橋渡しされている。遊技媒体送出手段１１０は、特定島１０からの遊技媒体を一般島２０へ送出するためのものである。
【００３１】
また、特定島１０には、特定島上部タンク１３０（図３において上部遊技媒体貯留部）および、特定島下部タンク１４０（同じく図３において下部遊技媒体貯留部）が設けられている。
【００３２】
特定島上部タンク１３０および、特定島下部タンク１４０内には、遊技媒体の数量を検出するための上部遊技媒体検出手段１３１および、下部遊技媒体検出手段１４１がそれぞれ設けられている。上部遊技媒体検出手段１３１は、検出部Ｓ４，Ｓ５から構成され、下部遊技媒体検出手段１４１は、検出部Ｓ１，Ｓ２，Ｓ３から構成されている。上部遊技媒体検出手段１３１および、下部遊技媒体検出手段１４１は、遊技媒体数の過剰検出信号あるいは、遊技媒体数の不足検出信号を後述する島制御手段へ送信する。
【００３３】
具体的には、図１１および、図１３に示すように、具体的には、下部遊技媒体検出手段１４１の検出部Ｓ１は、遊技媒体数の過剰検出信号を出力し、下部遊技媒体検出手段１４１の検出部Ｓ２および検出部Ｓ３は、遊技媒体数の不足検出信号を出力する。
【００３４】
通常、特定島下部タンク１４０内の遊技媒体数の不足状態の検出は、下部遊技媒体検出手段１４１の検出部Ｓ２の不足検出信号に基づいて行っているが、特定島１０の遊技機の稼動率が低い場合には、補給が検出部Ｓ３の不足検出信号によって行っても良い。
【００３５】
特定島１０の島端には遊技媒体計数手段１５０が備えられている。遊技媒体計数手段１５０は、投入された遊技媒体を計数するものであり、計数された遊技媒体は、特定島１０内に回収される。遊技者が遊技機の遊技盤面に打ち込むアウト玉である遊技媒体も特定島１０内に回収される。
【００３６】
遊技媒体計数手段１５０は、特定島１０の特定島下部タンク１４０の遊技媒体数が所定量を超えると、一時的に稼動停止状態になり、遊技媒体計数手段１５０が一時的に稼動停止状態にあるとき、特定島下部タンク１４０の遊技媒体数が所定量以下になると、その稼動停止状態を解除するように構成されている。
【００３７】
特定島１０内の下部にあって特定島１０の端部から中央部へ向かって下方に斜設された回収樋は、前記遊技媒体計数手段１５０あるいは、遊技者が前記遊技機で打ち込んだ遊技媒体を回収する。特定島１０のほぼ中央部には揚送研磨装置１２０が立設されている。揚送研磨装置１２０は、前記回収樋を通って特定島１０の中央下部へ回収された遊技媒体を研磨しながら特定島上部タンク１３０へ揚送するものである。特定島上部タンク１３０は、揚送研磨された遊技媒体を一時的に貯留する。
【００３８】
特定島１０内の上部にあって、特定島１０の中央部から端部へ向かって下方に斜設された補給樋は、特定島上部タンク１３０に貯留された遊技媒体を各遊技機へ補給する。
【００３９】
図４〜図６に示すように、特定島上部タンク１３０から溢れた遊技媒体は、オーバーフロー管１６０を介して上部分岐手段１６１により収集され、特定島下部タンク１４０へ導かれるとともに、貯留される。
【００４０】
特定島下部タンク１４０に貯留された遊技媒体は、特定島上部タンク１３０の遊技媒体数が所定量以下になると、島制御手段により、下部分岐手段１６２を介して、揚送研磨装置１２０に送出され、揚送研磨装置１２０によって再び特定島上部タンク１３０へ揚送される。このようにして、遊技媒体は、特定島１０内で循環する。
【００４１】
遊技媒体送出手段１１０は、親島である特定島１０の特定島上部タンク１３０と、他島である一般島２０の一般島上部タンク２３０とを橋渡しするものである。
【００４２】
一般島２０は、特定島１０と同様な構成になっている。一般島２０は、上部遊技媒体貯留部である一般島上部タンク２３０と、下部遊技媒体貯留部である一般島下部タンク２４０と、上部遊技媒体検出手段２３１、一般島揚送研磨装置２２０が設けられている。
【００４３】
図７および、図８に示すように、特定島上部タンク１３０と一般島上部タンク２３０とを橋渡ししている遊技媒体送出手段１１０は、送出遊技媒体誘導管２７０を介して一般島下部タンク２４０に接続されている。
【００４４】
遊技媒体送出手段１１０を介して、特定島１０側から一般島上部タンク２３０に送出された遊技媒体は、全て送出遊技媒体誘導管２７０により一般島下部タンク２４０まで落下する。
【００４５】
一般島オーバーフロー管２８０は、送出遊技媒体誘導管２７０に沿って延ばされている。一般島オーバーフロー管２８０の下端部にはオーバーフロー分岐手段２８５が設けられている。オーバーフロー分岐手段２８５は、一般島オーバーフロー管２８０の下端通路を中央出口とその両側一対の出口とに分岐している。
【００４６】
すなわち、一般島上部タンク２３０から溢れた遊技媒体は、一般島オーバーフロー管２８０を通り、その一部がオーバーフロー分岐手段２８５の両側一対の出口を通って遊技者が遊技機で打ち込んだ遊技球を各島（特定島（１０）および一般島（２０））に設けられた研磨機（２２０）に回収するための回収樋に流れ、他の一部がオーバーフロー分岐手段２８５の中央出口を通って一般島下部タンク２４０へ流れる。
【００４７】
一般島上部タンク２３０から溢れた遊技媒体の一部が排出されるオーバーフロー分岐手段２８５の中央出口は、下部貯留部誘導管２９０を介して一般島下部タンク２４０に通じている。一方、特定島１０側から一般島２０側へ送出された全ての遊技媒体を導く送出遊技媒体誘導管２７０の出口は、送出遊技媒体誘導樋である遊技媒体誘導手段２５０を介して一般島下部タンク２４０に通じている。
【００４８】
遊技媒体誘導手段２５０の通路は一般島下部タンク２４０内の上部にあって所定位置まで延びていて、さらに下方に曲げられている。その下方に曲げられた遊技媒体誘導手段２５０の通路の下端には通路先端口が開設されている。したがって、遊技媒体誘導手段２５０の通路先端口は、一般島下部タンク２４０の所定の高さ位置にある。
【００４９】
図９（ａ）に示すように、遊技媒体が一般島下部タンク２４０の所定の高さ位置（遊技媒体誘導手段２５０の通路先端口）より高く貯留されている場合は、貯留された遊技媒体で遊技媒体誘導手段２５０の通路先端口が塞がれ、特定島１０の特定島上部タンク１３０〜遊技媒体送出手段１１０〜一般島２０の送出遊技媒体誘導管２７０〜遊技媒体誘導手段２５０から構成される構成通路が塞がれ、特定島１０から一般島２０へ遊技媒体が送出不能に構成される。
【００５０】
図９（ｂ）に示すように、遊技媒体が一般島下部タンク２４０の所定の高さ位置（遊技媒体誘導手段２５０の通路先端口）より低く貯留されている場合は、貯留された遊技媒体で遊技媒体誘導手段２５０の通路先端口が塞がれることがなく、前記構成通路が塞がれることがなく、特定島１０から一般島２０へ遊技媒体が送出可能に構成される。
【００５１】
図１０に示すように、遊技媒体誘導手段２５０は、矩形状断面形の筒形に形成されている。筒上面２５１の筒幅方向の中央部には導入口２５２が開設されている。導入口２５２は、長手方向に沿って延ばされる長溝である。
【００５２】
筒上面２５１の導入口２５２を挟んだ両側は、山形断面形状に形成されていて、下部貯留部誘導管２９０の通路にも成っている。従って、下部貯留部誘導管２９０の通路は、山形断面形状の頂部を境に筒上面２５１の両側縁の下方へ傾斜し、また、導入口２５２側の下方へ傾斜している。導入口２５２および、山形断面形状の筒上面２５１が遊技媒体分散手段を構成している。
【００５３】
すなわち、遊技媒体分散手段は、一般島オーバーフロー管２８０の中央出口から遊技媒体誘導手段２５０の筒上面２５１上である下部貯留部誘導管２９０を通って、筒上面２５１上から直接的に一般島下部タンク２４０へ落下する遊技媒体と、導入口２５２を通って遊技媒体誘導手段２５０の通路に導入され、遊技媒体誘導手段２５０の通路先端口を通って一般島下部タンク２４０に落下する遊技媒体とに分離するように構成されている。
【００５４】
図１２に示すように、島グループの特定島１０は、島全体を制御するための島制御手段を有している。特定島上部タンク１３０の遊技媒体を検出するための上部遊技媒体検出手段２３１が設けられ、上部遊技媒体検出手段１３１の遊技媒体の不足検出信号を島制御手段に送り、島制御手段は、特定島揚送研磨装置１２０に駆動信号を出力し、特定島揚送研磨装置１２０は、特定島上部タンク１３０に遊技媒体を揚送する。
【００５５】
また、上部遊技媒体検出手段１３１の遊技媒体の不足検出信号は島制御手段から外部の全体制御手段（例えばホストコンピュータ）に送られる。全体制御手段は、島グループの特定島１０の島制御手段を介して、島グループ全体（特定島１０および、一般島２０）の遊技媒体の数量を制御する。
【００５６】
次に、本実施の形態の作用を説明する。
図１１、図１３に示すように、島グループの特定島１０内の遊技媒体の数量は次のように制御される。
すなわち、制御特定島上部遊技媒体検出手段１３１、特定島下部遊技媒体検出手段１４１の検出結果は、島グループ内部の全体制御手段に送信される。
【００５７】
下部遊技媒体検出手段１４１の検出部Ｓ１が、特定島１０の特定島下部タンク１４０内の遊技媒体数が所定量に達したことを検知し、遊技媒体の過剰検出信号を島グループ外部の島制御手段に出力すると、島制御手段が全体制御手段に制御信号を送り、全体制御手段が遊技媒体計数手段１５０を一時的に稼動停止状態にする。
【００５８】
また、遊技媒体計数手段１５０が稼動停止状態にある間に、下部遊技媒体検出手段１４１の検出部Ｓ２（あるいは検出部Ｓ３）が、特定島１０の特定島下部タンク１４０内の遊技媒体数が所定量以下になったことを検出し、遊技媒体の不足検出信号を島制御手段に出力すると、島制御手段が遊技媒体計数手段１５０の稼動停止状態を解除するよう制御する。
【００５９】
このように構成したことにより、遊技媒体計数手段１５０を通して特定島１０の外部から特定島１０内に入る遊技媒体の数量は制限されるが、特定島１０から一般島２０への遊技媒体の送出は、適正に行われる。すなわち、一般島２０内の遊技媒体の数量を適正な状態に容易に制御することができるとともに、一般島２０内で必要量の遊技媒体を適正に循環させることができる。
【００６０】
特定島１０から一般島２０への遊技媒体の送出は次のように行われる。
特定島１０の特定島上部タンク１３０から一般島２０の一般島上部タンク２３０へ遊技媒体送出手段１１０を通って送出される遊技媒体は、全て、送出遊技媒体誘導管２７０および、遊技媒体誘導手段２５０の筒内の通路を通り、遊技媒体誘導手段２５０の通路先端口を通って、一般島下部タンク２４０に落下する。一般島下部タンク２４０は、その遊技媒体を貯留する。
【００６１】
一般島下部タンク２４０内の遊技媒体が所定量を超えると、その遊技媒体で遊技媒体誘導手段２５０の通路先端口が詰まり、遊技媒体誘導手段２５０の通路内に遊技媒体が一時的に溜まる。それにより、特定島１０側から遊技媒体送出手段１１０を通って一般島２０側の遊技媒体誘導手段２５０へ遊技媒体が物理的に送出不能な状態になる。
【００６２】
一般島下部タンク内の遊技媒体が所定量以下になると、遊技媒体誘導手段２５０の通路内の遊技媒体は遊技媒体誘導手段２５０の通路先端口を通って一般島下部タンク２４０側へ流下し、遊技媒体誘導手段２５０の通路内には遊技媒体が溜まらないで、特定島１０側から遊技媒体送出手段１１０を通って一般島２０側の遊技媒体誘導手段２５０へ遊技媒体を送出可能な状態になる。
【００６３】
一般島下部タンク２４０内の遊技媒体が過剰になると、遊技媒体誘導手段２５０の通路内に遊技媒体が物理的に詰まるような構成では、一般島下部タンク２４０の遊技媒体を検出するための特別な検出スイッチを設けずに済み、また、遊技媒体誘導手段２４０の通路を開閉するための開閉弁を設けずに済む。
【００６４】
一般島２０内において、遊技媒体の循環は次のように行われる。
一般島２０内においては、一般島２０の中央上部に設置された特定島上部タンク１３０から所定量の遊技媒体を各遊技機へ供給し、各遊技機から遊技媒体を回収し、揚送研磨装置１２０で遊技媒体を研磨して、特定島上部タンク１３０へ揚送し、特定島上部タンク１３０から再び、各遊技機へ供給するように、必要量の遊技媒体を循環させている。
【００６５】
このとき、一般島上部タンク１３０から溢れ出た遊技媒体は、一般島オーバーフロー管２８０〜下部貯留部誘導管２９０（遊技媒体誘導手段２５０の筒上面２５１上）に通し、筒上面２５１に形成された遊技媒体分散手段で、導入口２５２を通って遊技媒体誘導手段２５０の筒内へ落下するものと、導入口２５２を通らないで直接的に一般島下部タンク２４０へ落下する。すなわち、各遊技機への供給数量を超えた過剰な遊技媒体を一時的に一般島下部タンク２４０に貯留する。
【００６６】
このような構成の遊技媒体誘導手段２５０では、遊技媒体誘導手段２５０の筒内に遊技媒体が詰まって、前記特定島上部タンク１３０からの過剰な遊技媒体が、遊技媒体誘導手段２５０の筒上面２５１上に落下し、導入口２５２を通って遊技媒体誘導手段２５０の通路内に導入不能な場合であっても、過剰な遊技媒体は、優先され、直接的に一般島下部タンク２４０に取り込まれ、一般島上部タンク１３０から溢れ出た遊技媒体を支障なく取り込むことができ、一般島オーバーフロー管２８０および、下部貯留部誘導管２９０が遊技媒体で詰まることがなく、一時的に過剰になり得る特定島上部タンク１３０内の遊技媒体を適正に処理される。
【００６７】
また、一般島下部タンク２４０に取り込まれた遊技媒体を、再び各遊技機へ供給することができ、必要量の遊技媒体を一般島内で循環させることができる。
【００６８】
次に、本発明の第２実施の形態を説明する。
図１４および、図１５は本発明の第２実施の形態を示している。
なお、第１実施の形態と同種の部位には同一符号を付し重複した説明を省略する。
【００６９】
本第２実施の形態は、シャッター２６０を開閉することで、特定島１０の特定島上部タンク１３０から遊技媒体送出手段１１０の通路を通って一般島上部タンク２３０へ送出される遊技媒体の数量を制御するものである。
【００７０】
一般島上部タンク２３０内には、一般島上部タンク２３０内の遊技媒体数を検出するための上部遊技媒体検出手段２３１が設けられている。上部遊技媒体検出手段２３１の遊技媒体の不足検出信号は特定島１０の島制御手段に送られるとともに、島制御手段を介して外部の全体制御手段に送られる。
【００７１】
島制御手段は、一般島揚送研磨装置２２０に駆動信号を送り、一般島揚送研磨装置２２０は、遊技媒体を一般島上部タンク２３０に揚送する。このとき、島制御手段は、一般島揚送研磨装置２２０とシャッター２６０との各制御を行う。
【００７２】
一般島揚送研磨装置２２０とシャッター２６０との各制御を独立して行っても良い。
【００７３】
シャッター２６０は遊技媒体送出手段１１０の通路を開閉するものである。遊技媒体送出手段１１０は、特定島１０側から一般島２０側へ遊技媒体を橋渡しするためのものであり、特定島１０側と一般島２０側との境界（一般島２０の直前）に位置している。
【００７４】
シャッター２６０は、一般島上部タンク２３０が所定量を超えると、遊技媒体送出手段１１０の通路を閉じ、一般島上部タンク２３０が所定量以下になると、遊技媒体送出手段１１０の通路を開く。
【００７５】
すなわち、遊技媒体は、一般島２０の直前位置でシャッター２６０に止められる。この止められた状態では、補給用に待機している状態ともいえる。シャッター２６０が遊技媒体送出手段１１０の通路を開くと、待機状態の遊技媒体を一般島２０側へ迅速に取り込むことができる。
【００７６】
すなわち、一般島２０への遊技媒体の補給が必要になると、シャッター２６０は遊技媒体送出手段１１０の通路を開いて、特定島側１０から一般島２０側へ遊技媒体を迅速に取り込むことができる。
【００７７】
一方、一般島２０内の遊技媒体が所定量を超え、遊技媒体の補給が不要になると遊技媒体送出手段１１０の通路を閉じて、一般島２０側へ遊技媒体を即座に取り込み不能にして、一般島２０内へ必要数量だけ迅速に補充して、不要な遊技媒体の取込を防止する。
【００７８】
なお、本発明は、上記実施例に限定されるものではなく、以下のような拡張及び変形をすることができる。
【００７９】
例えば、島グループは、１つの特定島に対して、２つの一般島でもよく、１つの一般島でも、多数の一般島であってもよい。
また、遊技媒体数を検出するための検出手段は、その個数及び設置場所に限定されるものではないことはいうまでもない。
【００８０】
また、前記全体制御手段で、隣り合う島グループ毎の特定島の遊技媒体数を比較し、島グループ内の遊技媒体数の少ない特定島に係る遊技媒体計数手段を一時的に稼働停止状態に制御するように構成してもよい。
また、特定島下部タンクは、一般島下部タンクよりも遊技媒体の貯留量が多い方がより好ましい。
【００８１】
さらに、一般島２０には、下部貯留部誘導管２９０に施される遊技媒体分散手段（遊技媒体誘導手段２５０の筒上面２５１と、誘導口５２とからなる）を設けていたが、特定島１０に設けても良い。それにより、特定島１０内の遊技媒体の循環が円滑になる。
【００８３】
本発明は、一般島上部タンクから溢れた遊技球は，一般島オーバーフロー管を介して該下端部に設けられた一般島オーバーフロー分岐手段によって回収樋または前記筒上面に導かれ、筒上面に導かれた遊技球は、前記導入口を通って前記遊技媒体誘導手段の筒内へ導く一方、前記導入口を通らないで前記一般島下部タンクへ導くので、遊技媒体誘導手段の筒内に遊技媒体が詰まって、導入口をも塞いでいるような場合であっても、一般島上部タンクから溢れ出て遊技媒体誘導手段の筒上面に落下した遊技媒体が優先的に一般島下部タンクに取り込まれ、一般島上部タンクから溢れ出た遊技媒体を支障なく取り込むことができ、かつ、一般島下部タンクに取り込まれた遊技媒体を、再び各遊技機へ供給することができ、必要量の遊技媒体を一般島内で循環させることができる。
【図面の簡単な説明】
【図１】本発明の第１実施の形態に係る遊技場全体の構成図である。
【図２】本発明の第１実施の形態に係る島グループの構成図である。
【図３】本発明の第１実施の形態に係る遊技場全体のブロック図である。
【図４】本発明の第１実施の形態に係る特定島の内部を示す正面図である。
【図５】本発明の第１実施の形態に係る特定島の内部を示す側面図である。
【図６】本発明の第１実施の形態に係る特定島の内部を示す平面図である。
【図７】本発明の第１実施の形態に係る一般島の内部を示す正面図である。
【図８】本発明の第１実施の形態に係るオーバーフロー分岐手段の断面図である。
【図９】本発明の第１実施の形態に係る一般島下部タンクの貯留状態図の説明図である。
【図１０】本発明の第１実施の形態に係る遊技媒体誘導手段の断面図である。
【図１１】本発明の第１実施の形態に係る特定島下部タンクの貯留状態図である。
【図１２】本発明の第１実施の形態に係る全体制御手段のブロック図である。
【図１３】本発明の第１実施の形態に係る全体制御手段の制御状態説明図である。
【図１４】本発明の第２実施の形態に係る島グループ構成図である。
【図１５】本発明の第２実施の形態に係る遊技場全体のブロック図である。
【符号の説明】
Ｓ１，Ｓ２，Ｓ３…検出部
１０…特定島
２０…一般島
１１０…遊技媒体送出手段
１２０…揚送研磨装置
１３０…特定島上部タンク
１３１…上部遊技媒体検出手段
１４０…特定島下部タンク
１４１…下部遊技媒体検出手段
１５０…遊技媒体計数手段
１６０…オーバーフロー管
１６１…上部分岐手段
１６２…下部分岐手段
２２０…一般島揚送研磨装置
２３０…一般島上部タンク
２３１…上部遊技媒体検出手段
２４０…一般島下部タンク
２５０…遊技媒体誘導手段
２５１…筒上面
２５２…導入口
２６０…シャッター
２７０…送出遊技媒体誘導管
２８０…一般島オーバーフロー管
２８５…オーバーフロー分岐手段
２９０…下部貯留部誘導管
【図１】
0004263277.tif 000002
【図２】
0004263277.tif 000003
【図３】
0004263277.tif 000004
【図４】
0004263277.tif 000005
【図５】
0004263277.tif 000006
【図６】
0004263277.tif 000007
【図７】
0004263277.tif 000008
【図８】
0004263277.tif 000009
【図９】
0004263277.tif 000010
【図１０】
0004263277.tif 000011
【図１１】
0004263277.tif 000012
【図１２】
0004263277.tif 000013
【図１３】
0004263277.tif 000014
【図１４】
0004263277.tif 000015
【図１５】
0004263277.tif 000016